(57)【要約】      （修正有）【課題】磁石を用いた遠隔操作式排水栓装置でも、確実に弁体が上昇することができ、磁石の磁力を相当程度強力にしても、排水口から弁体が飛び出すことを防止することができ、磁石を用いた遠隔操作式排水栓装置の誤作動を防止することができる遠隔操作式排水栓装置を提供する。【解決手段】上方が開口した箱体である槽体１と、槽体１底面に構成した排水を下流へと通過させる排水口２と、排水口２に備えるとともに、磁石Ｓ１を備えて磁力の反発によって排水口２から上昇する弁体４と、前記弁体４の磁石に対応する作動用の磁石Ｓ２と、から構成される磁石を用いた遠隔操作式排水栓装置において、前記弁体４の上昇時、磁力の反発により弁体４が排水口２から飛び出さないために安全装置を設けた。【選択図】図１
2015200079.tif 000002
【特許請求の範囲】
【請求項１】
上方が開口した箱体である槽体１と、
槽体１底面に構成した排水を下流へと通過させる排水口２と、
排水口２に備えるとともに、磁石Ｓ１を備えて磁力の反発によって排水口２から上昇する弁体４と、
前記弁体４の磁石に対応する作動用の磁石Ｓ２と、
から構成される磁石を用いた遠隔操作式排水栓装置において、
前記弁体４の上昇時、磁力の反発により弁体４が排水口２から飛び出さないために安全装置５を構成したことを特徴とする磁石を用いた遠隔操作式排水栓装置。
【請求項２】
前記安全装置５を、弁体４から複数垂下して構成する係合脚５１と、排水口２に対して上下方向に位置決めされて構成される、前記係合脚５１に係合する係合部５２と、から構成したことを特徴とする前記請求項１に記載の磁石を用いた遠隔操作式排水栓装置。
【請求項３】
前記安全装置５を、弁体４から垂下して構成される軸部４１と、軸部４１に構成した弁体４の開閉幅分の上下の大きさを備えた開口部５３と、排水口２に対して上下方向に位置決めされて構成される、管体内径に渡って架設した架設部５４と、から構成し、前記架設部５４に軸部４１の開口部５３が係合して備えられたことを特徴とする前記請求項１に記載の磁石を用いた遠隔操作式排水栓装置。
【請求項４】
前記安全装置５を、弁体４から垂下して構成する軸部４１と、軸部４１下端に設けた排水口２又は排水口２より下流のいずれかの箇所に係合される係合部５２と、から構成したことを特徴とする請求項１に記載の磁石を用いた遠隔操作式排水栓装置。
【請求項５】
前記安全装置５を、排水口２又は排水口２より下流に固定したケーシング５５と、弁体４から垂下して構成すると共に、その下端に係合部５２を構成してその下端をケーシング５５内に収納されて、ケーシング５５と係合する軸部４１と、から構成したことを特徴とする請求項１に記載の磁石を用いた遠隔操作式排水栓装置。
【請求項６】
前記安全装置５を、弁体４裏面に垂下して構成した筒状のケーシング５５と、排水口２より下流に構成した、弁体４側の端部に係合部５２を構成した軸部４１より構成し、軸部４１の弁体４側の端部が前記ケーシング５５内に収納されて、ケーシング５５と係合することを特徴とする請求項１に記載の磁石を用いた遠隔操作式排水栓装置。
【請求項７】
前記弁体４と排水口２は、意図的な作業により取り外し可能に接続されていることを特徴とする前記請求項１乃至請求項６のいずれか一つに記載の磁石を用いた遠隔操作式排水栓装置。
【発明の詳細な説明】
【技術分野】
【０００１】
本発明は、浴槽や流し台、洗面台や各種槽体の排水口に用いた弁体を、離間した箇所に備えた操作部で操作することによって、遠隔的に開閉させる遠隔操作式排水栓装置において、特に磁石の反発力を用いて弁体の開閉操作を行うものである。
【背景技術】
【０００２】
従来よく知られた磁石を用いた遠隔操作式排水栓装置は、洗面所のボウルに用いられる。
本従来例の磁石を用いた遠隔操作式排水栓装置は、槽体と、排水栓と、作動用磁石と、弁体と、弁体側磁石と、排水管と、操作部と、レリースワイヤと、保持機構部と、から構成されている。
槽体は、箱体であって、底部に槽体内の排水を槽体外へと排水するための開口を開口している。本従来例では洗面台の洗面ボウルが槽体である。
排水栓は、槽体の開口に取り付けられる上端に外側方向に飛び出すフランジを備えた円筒部材であって、その下端には後述する排水管が接続される。また、排水栓の排水が通過する箇所を排水口とし、当該排水口に弁体が着座したり上昇することによって、排水が排水口を通過して下流へと排水することができる。
作動用磁石は、通水空間外に配置される。また、作動用磁石は、排水栓の下方に軸着されており、後述するレリースワイヤの進退に合わせてレリースワイヤの先端が作動用磁石に当接すると磁石が軸を中心に回転して押し上げられ、より弁体の直下に配置されることとなり、最終的には弁体の弁軸に備えられた弁体側磁石に対抗する箇所にまで移動配置される。また、レリースワイヤが後退すると、作動用磁石もその自重により下方に回転し、元の位置に戻る。このように、作動用磁石はレリースワイヤの進退によって弁体直下に近づいたり、離間したりするように構成される。
弁体は、自身が上昇／下降することによって排水口の開閉を行う栓である。また、弁体裏面から垂下して軸部が構成され、軸部には排水中のゴミを捕集するヘアキャッチャーを備え、軸部下端には後述する弁体側磁石を構成している。
弁体側磁石は、弁体の軸部下端に構成した磁石であって、作動用弁体と同磁極となるよう向き合うように配置され、作動用磁石が近づくと弁体側磁石は同磁極のため反発する。当該磁力による反発により弁体が上昇／下降を繰り返し、排水口の開口／閉口を行うことができる。
操作部は、槽体の上縁部に構成した操作ボタンであって、使用者が当該操作部を押し操作することで、槽体の排水口に設置された弁体の上昇／下降を遠隔的に操作する為のものである。
レリースワイヤは、可撓性を有する管体から成るアウターチューブと、アウターチューブ内を進退自在に動作する金属線から成るインナーワイヤと、から構成される。当該レリースワイヤは操作部から弁体直下の作動用磁石に接続されている。よって、操作部を操作するとレリースワイヤのインナーワイヤの進退に合わせて弁体の直下位置まで作動用磁石が進退することができ、結果的に作動用磁石と同磁極の弁体側磁石が作動用磁石に反発したりしなくなったりすることで排水口の弁体の上下動ができる。（特許文献１）
【０００３】
上記の従来例である磁石を用いた遠隔操作式排水栓装置は以下のように作動する。
槽体の排水口に弁体が着座している状態時に、操作部を押し操作すると、操作部に接続されたレリースワイヤのインナーワイヤが前進し、インナーワイヤの先端が弁体直下に位置している作動用磁石に当接し、作動用磁石が軸中心に回転し、弁体側直下により近づく。そうすると、弁体の弁軸下端に備えた弁体側磁石と作動用磁石は同磁極な為、互いに反発しあう。そうすると、当該磁力の反発力により弁体が押し上げられ、排水口から弁体が上昇することとなり、排水口が開口される。また、この状態時では槽体内の排水が排水口より下流へと排水され、排水栓を介して排水管へ排水される。結果的に排水トラップ等を介して下水へと排水される。
また、この状態時である当該槽体の排水口から弁体が上昇している時に操作部を引き操作すると、インナーワイヤが後退して元の位置に戻る。そうするとインナーワイヤによって押し上げられていた作動用磁石が、その自重により軸中心に回転して下降することによって、作動用磁石の反発力が弁体側磁石に作用しなくなり、反発力を失った弁体はその自重により下降する。そうすると弁体は排水口に着座し、槽体内に水を貯水することができる。
このように、操作部を操作することにより、磁石の反発力によって遠隔操作式排水栓装置の排水口の弁体を遠隔的に開閉することができるものである。
【先行技術文献】
【特許文献】
【０００４】
【特許文献１】特開２０１３−１１７１５４号
【発明の概要】
【発明が解決しようとする課題】
【０００５】
従来例での磁石を用いた遠隔操作式排水栓装置では以下の問題があった。
通常、槽体の水深が深ければ深いほど槽体底面に加わる水圧は高くなる。そうすると、槽体底面の排水口に備えられる弁体に負荷される水圧も高くなることとなる。しかしながら、弁体は上述のように排水口に対して上下動する為、相当高い水圧でも問題なく上下動できる能力が求められる。
そこで、上記の磁石を用いた遠隔操作式排水栓装置は、水深の深い槽体に用いる場合、水圧が高くても弁体が問題なく上下動できるように磁石の反発力、磁力を相当程度強力にしないとならない。
しかしながら、水圧が加わっても弁体が問題なく上昇できる程強力な磁石の反発力を備えると、槽体内に水が貯水されていない場合に弁体を上昇させた時、水圧が負荷されていない為、弁体がその磁力の反発力により排水口から飛び出すことが多発していた。
このように、排水口から弁体が飛び出してしまうと、都度手動で弁体を排水口に戻す手間がかかり、遠隔操作式排水栓装置の意味をなさないことになっていた。また、飛び出しに使用者が気づかなかった場合には、弁体が排水口の適切な位置に配置されていないのに操作部を操作してしまうことがあり、そうすると使用者にとっては排水口を閉口したつもりであるのに実際は排水口には弁体が配置されていないために槽体内に水が貯水されることがない。よって、空焚きの危険性が高まったり、使用者が気づくまで排水が流れっぱなしとなり、水の無駄使用となる可能性が合った。
【０００６】
以上のことから、本願発明は以下の課題を解決する。
１．磁石を用いた遠隔操作式排水栓装置でも、確実に弁体が上昇することができる。
２．磁石の磁力を相当程度強力にしても、排水口から弁体が飛び出すことを防止することができる。
３．結果的に、磁石を用いた遠隔操作式排水栓装置の誤作動を防止することができる。
【課題を解決するための手段】
【０００７】
請求項１に記載の磁石を用いた遠隔操作式排水栓装置は、上方が開口した箱体である槽体１と、槽体１底面に構成した排水を下流へと通過させる排水口２と、排水口２に備えるとともに、磁石Ｓ１を備えて磁力の反発によって排水口２から上昇する弁体４と、前記弁体４の磁石に対応する作動用の磁石Ｓ２と、から構成される磁石を用いた遠隔操作式排水栓装置において、前記弁体４の上昇時、磁力の反発により弁体４が排水口２から飛び出さないために安全装置５を構成したことを特徴とする磁石を用いた遠隔操作式排水栓装置である。
【０００８】
請求項２に記載の磁石を用いた遠隔操作式排水栓装置は、前記安全装置５を、弁体４から複数垂下して構成する係合脚５１と、排水口２に対して上下方向に位置決めされて構成される、前記係合脚５１に係合する係合部５２と、から構成したことを特徴とする前記段落０００７に記載の磁石を用いた遠隔操作式排水栓装置である。
【０００９】
請求項３に記載の磁石を用いた遠隔操作式排水栓装置は、前記安全装置５を、弁体４から垂下して構成される軸部４１と、軸部４１に構成した弁体４の開閉幅分の上下の大きさを備えた開口部５３と、排水口２に対して上下方向に位置決めされて構成される、管体内径に渡って架設した架設部５４と、から構成し、前記架設部５４に軸部４１の開口部５３が係合して備えられたことを特徴とする前記段落０００７に記載の磁石を用いた遠隔操作式排水栓装置である。
【００１０】
請求項４に記載の磁石を用いた遠隔操作式排水栓装置は、前記安全装置５を、弁体４から垂下して構成する軸部４１と、軸部４１下端に設けた排水口２又は排水口２より下流のい
箇所に係合される係合部５２と、から構成したことを特徴とする前記段落請求項１に記載の磁石を用いた遠隔操作式排水栓装置である。
【００１１】
請求項５に記載の磁石を用いた遠隔操作式排水栓装置は、前記安全装置５を、排水口２又は排水口２より下流に固定したケーシング５５と、弁体４から垂下して構成すると共に、その下端に係合部５２を構成してその下端をケーシング５５内に収納されて、ケーシング５５と係合する軸部４１と、から構成したことを特徴とする前記段落に記載の磁石を用いた遠隔操作式排水栓装置である。
【００１２】
請求項６に記載の磁石を用いた遠隔操作式排水栓装置は、前記安全装置５を、弁体４裏面に垂下して構成した筒状のケーシング５５と、排水口２より下流に構成した、弁体４側の端部に係合部５２を構成した軸部４１より構成し、軸部４１の弁体４側の端部が前記ケーシング５５内に収納されて、ケーシング５５と係合することを特徴とする前記段落０００７に記載の磁石を用いた遠隔操作式排水栓装置である。
【００１３】
請求項７に記載の磁石を用いた遠隔操作式排水栓装置は、前記弁体４と排水口２は、意図的な作業により取り外し可能に接続されていることを特徴とする前記段落０００７乃至段落００１２のいずれか一つに記載の磁石を用いた遠隔操作式排水栓装置である。
【発明の効果】
【００１４】
請求項１に記載の本発明は、弁体４が磁力の反発により排水栓３から飛び出さないために安全装置５を構成したことから、排水口２から弁体４が飛び出るようなことが無くなるため、磁石を用いた遠隔操作式排水栓装置の誤作動が無くなる。
請求項２に記載の本発明は、前記安全装置５を、弁体４から複数垂下して構成する係合脚５１と、排水口２に対して上下方向に位置決めされて構成される、前記係合脚５１に係合する係合部５２と、から構成したことから、排水口２から弁体４が飛び出るようなことが無くなるため、磁石を用いた遠隔操作式排水栓装置の誤作動が無くなる。
請求項３に記載の本発明は、前記全装置５を、弁体４から垂下して構成される軸部４１と、軸部４１に構成した弁体４の開閉幅分の上下の大きさを備えた開口部５３と、排水口２に対して上下方向に位置決めされて構成される、管体内径に渡って架設した架設部５４と、から構成し、前記架設部５４に軸部４１の開口部５３が係合して構成したことから、排水口２から弁体４が飛び出るようなことが無くなるため、磁石を用いた遠隔操作式排水栓装置の誤作動が無くなる。
請求項４に記載の本発明は、前記安全装置５を、弁体４から垂下して構成する軸部４１と、軸部４１下端に設けた排水口２又は排水口２より下流のいずれかの箇所に係合される係合部５２と、から構成したことから、排水口２から弁体４が飛び出るようなことが無くなるため、磁石を用いた遠隔操作式排水栓装置の誤作動が無くなる。
請求項５に記載の本発明は、前記安全装置５を、排水口２又は排水口２より下流に固定したケーシング５５と、弁体４から垂下して構成すると共に、その下端に係合部５２を構成してその下端をケーシング５５内に収納されて、ケーシング５５と係合する軸部４１と、から構成したことから、排水口２から弁体４が飛び出るようなことが無くなるため、磁石を用いた遠隔操作式排水栓装置の誤作動が無くなる。
請求項６に記載の本発明は、前記安全装置５を、弁体４裏面に垂下して構成した筒状のケーシング５５と、排水口２より下流に構成した、弁体４側の端部に係合部５２を構成した軸部４１より構成し、軸部４１の弁体４側の端部が前記ケーシング５５内に収納されて、ケーシング５５と係合することから、排水口２から弁体４が飛び出るようなことが無くなるため、磁石を用いた遠隔操作式排水栓装置の誤作動が無くなる。
請求項７に記載の本発明は、前記弁体４と排水口２は、意図的な作業により取り外し可能に接続されていることから、排水栓３に軸部４１が固着されていて容易に取り外せないような状態であったとしても、弁体４と軸部４１自体が容易に取り外すことができるので、排水口２内の清掃等を容易に行うことができる。
【図面の簡単な説明】
【００１５】
【図１】実施例１の施工状態を示す断面図である。
【図２】実施例１における弁体が開口した状態を示す断面図である。
【図３】実施例２の施工状態を示す断面図である。
【図４】実施例２における弁体が開口した状態を示す断面図である。
【図５】実施例３の施工状態を示す断面図である。
【図６】実施例３における弁体が開口した状態を示す断面図である。
【図７】その他の実施例の施工状態を示す断面図である。
【図８】その他の実施例における弁体が開口した状態を示す断面図である。
【図９】その他の実施例の施工状態を示す断面図である。
【図１０】その他の実施例における弁体が開口した状態を示す断面図である。
【発明を実施するための形態】
【実施例１】
【００１６】
本実施例は、図１乃至図２に示される、浴室の浴槽に用いられる磁石を用いた遠隔操作式排水栓装置である。
本実施例の磁石を用いた遠隔操作式排水栓装置は、槽体１と、排水栓３と、作動用磁石Ｓ２と、弁体４と、弁体側磁石Ｓ１と、排水管８と、操作部７と、レリースワイヤ６と、保持機構部と、安全装置５と、から構成されている。
槽体１は、箱体であって、底部に槽体１内の排水を槽体１外へと排水するための開口を開口している。本実施例では浴室の浴槽が槽体１である。尚、浴槽は洗面ボウル等と比較しても水深が深く弁体４に負荷される水圧は高い。
排水栓３は、槽体１の開口に取り付けられる上端に外側方向に飛び出すフランジを備えた円筒部材であって、その下端には後述する排水管８が接続される。この排水栓３の内周には排水口２が構成され、当該排水口２を排水が通過することで槽体１内の排水を下流へと排水することができる。また、当該排水口２を弁体４が着座して閉口している際には排水は排水口２を通過せず、排水口２から弁体４が上昇した際には排水口２が開口される為排水が排水口２を通過して排水口２より下流へと排水されることとなる。
また、本実施例では、後述する安全装置５として、排水栓３内周面に内側方向に向かってフランジ状に突出する係合部５２を構成している。尚、当該係合部５２は同じく安全装置５である弁体４の係合脚５１に係合する。
作動用磁石Ｓ２は、磁力を有した磁石であり、本実施例では排水口２の下方に配置され、弁体４が上昇時には弁体４直下、弁体４が下降時には弁体４直下より水平方向に移動した箇所に配置される。また、作動用磁石Ｓ２は通水空間である排水管８外に配置される。後述するレリースワイヤ６のインナーワイヤ６２先端に作動用磁石Ｓ２が接続されており、レリースワイヤ６の進退に併せて作動用磁石Ｓ２は水平方向に移動することができる。また、具体的にはレリースワイヤ６のインナーワイヤ６２が前進した際には作動用磁石Ｓ２は弁体４の直下に配置する箇所にまで移動配置され、レリースワイヤ６のインナーワイヤ６２が後退すると、作動用磁石Ｓ２もインナーワイヤ６２に連動して後退し、元の位置（排水口２の弁体４直下近傍より水平方向に離間した箇所）に戻る。このように、作動用磁石Ｓ２はレリースワイヤ６の進退によって弁体４直下に近づいたり、離間したりするように構成される。
弁体４は、排水口２の開閉を行う栓であって、弁体４裏面には脱着自在に構成した後述の弁体側磁石Ｓ１を備える。また、弁体４裏面の中心より外周方向に垂下するように構成した安全装置５としての係合脚５１を構成している。当該係合脚５１は、弁体４裏側から垂下して構成されると共に、その下端には前記安全装置５としての係合部５２に係合するツメを備える。また、係合脚５１は、自身に弾性を備えており、弁体４を排水口２に取り付け時、取り外し時には、使用者の手や治具等を使用して、係合脚５１を自身の弾性により内方に撓ませることにより行う。
弁体側磁石Ｓ１は、弁体４の裏面に着脱自在備えた磁石である。弁体側磁石Ｓ１は、作動用磁石Ｓ２と同磁極であり、作動用磁石Ｓ２が近づくと弁体側磁石Ｓ１は同磁極のため反発する。当該磁力による反発により弁体４が排水口２から上昇することで排水口２が開口され、また磁石を水平方向に移動させて作動用磁石Ｓ２の磁力を弁体側磁石Ｓ１に及ばないようにした際には排水口２に弁体４が着座することで排水口２が閉口する。当該動作の繰り返しにより排水口２の開口／閉口を行うことができる。
操作部７は、槽体１の上縁部に構成した操作ボタンであって、使用者が当該操作部７を押し操作することで、槽体１の排水口２に設置された弁体４の上昇／下降を遠隔的に操作する為のものである。
レリースワイヤ６は、可撓性を有する管体から成るアウターチューブ６１、アウターチューブ６１内を進退自在に動作する金属線から成るインナーワイヤ６２、から構成される。当該レリースワイヤ６は操作部７から弁体４直下の作動用磁石Ｓ２に接続されている。よって、操作部７を操作するとレリースワイヤ６のインナーワイヤ６２が進退し、当該進退に合わせてインナーワイヤ６２に接続された作動用磁石Ｓ２が、弁体４の直下位置から水平方向にずれた位置までの間を進退することができ、結果的に水平方向に進退する作動用磁石Ｓ２と弁体側磁石Ｓ１が、同磁極の磁力により反発したりしなくなったりすることで排水口２の弁体４が上下動する。
保持機構部は、本実施例では図示しないが操作部７に構成されており、レリースワイヤ６のインナーワイヤ６２の進退を保持／保持解除する機構である。また、この実施例では、保持機構部にはボールペンの芯の進退を保持するスラストロック機構を採用している。
安全装置５は、前述した排水栓３の上端部に、内周方向に向けてフランジ状に突出して構成した係合部５２と、弁体４の裏面に垂下して構成した係合脚５１、係合脚５１の下端に構成したツメにより構成されている。この係合脚５１は、弁体４が強力な磁力により上昇した際に、弁体４の係合脚５１のツメが排水栓３の係合部５２に係合することで抜け止めとなり、排水口２から弁体４が飛び出すことがない。なお、ここでの排水口２から弁体４が飛び出すという意味は、弁体４が排水口２の適切な位置に戻らず、遠隔操作式排水栓装置の遠隔操作が適切に弁体４に作用しないようになる状態を示すものであって、単純に「排水口２内に弁体４が無い」という意味ではない。また、その他の実施例においてもこの意味を適用する。
以上のことから、最大の水圧と、水圧が全く負荷していない状態の差が大きくても、弁体４が排水口２から飛び出すようなことがない。
【００１７】
上記の実施例である磁石を用いた遠隔操作式排水栓装置は以下のように作動する。
槽体１の排水口２に弁体４が着座している状態時に、使用者が操作部７を押し操作すると、操作部７に接続されたレリースワイヤ６のインナーワイヤ６２がアウターチューブ６１内で前進し、インナーワイヤ６２の先端に接続されている作動用磁石Ｓ２が連動して水平方向に進行し、作動用磁石Ｓ２が弁体４側直下により近づく。そうすると、弁体４の裏面に備えた弁体側磁石Ｓ１と作動用磁石Ｓ２は同磁極に向き合っている為、互いに反発しあう。そうすると、当該磁力の反発力により弁体４が押し上げられ、排水口２から弁体４が上昇することとなり、排水口２が開口される。また、インナーワイヤ６２の前進は、保持機構部によって保持されているので、作動用磁石Ｓ２の位置も保持され、作動用磁石Ｓ２が後退して弁体４が下降するようなことはない。また、この状態時では槽体１内の排水が排水口２より下流へと排水され、排水栓３を介して排水管８へ排水される。結果的に槽体１内の排水は排水トラップ等を介して下水へと排水される。
このとき、作動用磁石Ｓ２の磁力が強力であっても、弁体４と排水口２は安全装置５により取り付けられているので、排水口２から弁体４が飛び出すようなことはない。具体的には、弁体４の係合脚５１が排水栓３の係合部５２に弾性係合している為に当接し、弁体４が排水口２から飛び出さない。
また、当該槽体１の排水口２から弁体４が上昇時に操作部７を押し操作すると、保持機構部のインナーワイヤ６２の保持が解除され、保持機構部内の戻りスプリングによりインナーワイヤ６２が後退して元の位置に戻る。そうするとインナーワイヤ６２によって前進していた作動用磁石Ｓ２が、戻りスプリングの引き込み力により水平方向に後退する。そうすると、作動用磁石Ｓ２が弁体４の直下から水平方向に移動し、排水口２の直下位置からずれた箇所である元の位置に戻る。そうすると作動用磁石Ｓ２の反発力が弁体側磁石Ｓ１に作用しなくなり、反発力を失った弁体４はその自重により下降する。そうすると弁体４は排水口２に着座し、排水口２が閉口され槽体１内に水を貯水することができる。
このように、操作部を操作することにより、磁石の反発力によって遠隔操作式排水栓装置の排水口２の弁体４を遠隔的に開閉することができるものである。
また、清掃等のため弁体４を排水口２から取り外す場合は、弁体４の係合脚５１を使用者の手や治具等で内方に撓ませることで、排水栓３の係合部５２の係合を解除させることで簡単に取り外すことができる。
【実施例２】
【００１８】
本実施例は、図３乃至図４に示される、浴室の浴槽に用いられる磁石を用いた遠隔操作式排水栓装置である。
本実施例の磁石を用いた遠隔操作式排水栓装置は、槽体１と、排水栓３と、作動用磁石Ｓ２と、弁体４と、弁体側磁石Ｓ１と、排水管８と、操作部７と、レリースワイヤ６と、保持機構部と、安全装置５と、から構成されている。
槽体１は、箱体であって、底部に槽体１内の排水を槽体１外へと排水するための開口を開口している。本実施例では浴室の浴槽が槽体１である。尚、浴槽は洗面ボウル等と比較しても水深が深く弁体４に負荷される水圧は高い。
排水栓３は、槽体１の開口に取り付けられる上端に外側方向に飛び出すフランジを備えた円筒部材であって、その下端には後述する排水管８が接続される。この排水栓３の内周には排水口２が構成され、当該排水口２を排水が通過することで槽体１内の排水を下流へと排水することができる。また、当該排水口２を弁体４が着座して閉口している際には排水は排水口２を通過せず、排水口２から弁体４が上昇した際には排水口２が開口される為排水が排水口２を通過して排水口２より下流へと排水されることとなる。
また、排水栓３下方の内周に渡って架設した安全装置５としての架設部５４を構成している。当該架設部５４は、排水栓３の上面視、内周面を横切るように備えられる。尚、当該架設部５４は同じく安全装置５である弁体４の開口部５３が係合する。
作動用磁石Ｓ２は、磁力を有した磁石であり、本実施例では排水口２の下方に配置され、弁体４が上昇時には弁体４直下、弁体４が下降時には弁体４直下より水平方向に移動した箇所に配置される。また、作動用磁石Ｓ２は通水空間である排水管８の外に配置される。後述するレリースワイヤ６のインナーワイヤ６２先端に作動用磁石Ｓ２が接続されており、レリースワイヤ６の進退に併せて作動用磁石Ｓ２は水平方向に移動することができる。また、具体的にはレリースワイヤ６のインナーワイヤ６２が前進した際には作動用磁石Ｓ２は弁体４の直下に配置する箇所にまで移動配置され、レリースワイヤ６のインナーワイヤ６２が後退すると、作動用磁石Ｓ２もインナーワイヤ６２に連動して後退し、元の位置（排水口２の弁体４直下より水平方向に離間した箇所）に戻る。このように、作動用磁石Ｓ２はレリースワイヤ６の進退によって弁体４直下に近づいたり、離間したりするように構成される。
弁体４は、排水口２の開閉を行う栓であって、弁体４から軸部４１が垂下するように構成され、軸部４１下端に安全装置５としての開口部５３を構成している。また、軸部４１は弁体と着脱自在に取り付けられ、当該取付は樹脂弾性による係合によって取り付けられている。また開口部５３は、図４に示すように弁体４軸部４１下端に構成されて、弁体４の上昇、下降幅分の高さ幅の開口を有している穴である。また、前述した排水栓３の架設部５４に係合挿入させるための切り欠きを構成している。当該開口部５３は排水栓３の架設部５４に切り欠きから挿入され、常時架設部５４に係合している状態である。また、弁体４が上昇／下降する高さ幅分の高さの開口を有している為、弁体４の上下動の邪魔になることはない。
弁体側磁石Ｓ１は、弁体４軸部４１の下端、詳細には開口部５３の下端に備えた磁石である。弁体側磁石Ｓ１は、作動用磁石Ｓ２と同磁極を向いているので、作動用磁石Ｓ２が近づくと弁体側磁石Ｓ１は同磁極のため反発する。当該磁力による反発向きとなるよう調整され、弁体４が排水口２から上昇することで排水口２が開口され、また磁石を水平方向に移動させて作動用磁石Ｓ２の磁力を弁体側磁石Ｓ１に及ばないようにした際には排水口２に弁体４が着座することで排水口が閉口する。当該動作の繰り返しにより排水口２の開口／閉口を行うことができる。
操作部７は、槽体１の上縁部に構成した操作ボタンであって、使用者が当該操作部７を押し操作することで、槽体１の排水口２に設置された弁体４の上昇／下降を遠隔的に操作する為のものである。
レリースワイヤ６は、可撓性を有する管体から成るアウターチューブ６１、アウターチューブ６１内を進退自在に動作する金属線から成るインナーワイヤ６２、から構成される。当該レリースワイヤ６は操作部７から弁体４直下の作動用磁石Ｓ２に接続されている。よって、操作部７を操作するとレリースワイヤ６のインナーワイヤ６２が進退し、当該進退に合わせてインナーワイヤ６２に接続された作動用磁石Ｓ２が弁体４の直下位置から水平方向にずれた箇所までの間を進退することができ、結果的に水平方向に進退する作動用磁石Ｓ２と弁体側磁石Ｓ１が、同磁極の磁力により反発したりしなくなったりすることで排水口２の弁体４が上下動する。
保持機構部は、本実施例では図示しないが操作部７に構成されており、レリースワイヤ６のインナーワイヤ６２の進退長さを保持／保持解除する機構である。また、この実施例では、保持機構部にはボールペンの芯の進退を保持するスラストロック機構を採用している。
安全装置５は、前述した排水栓３の下端に、内周に渡って構成した架設部５４と、弁体４の軸部４１下端に構成した開口部５３により構成されている。この弁体４の開口部５３は、弁体４が強力な磁力により上昇した際に、弁体４の開口部５３が排水栓３の架設部５４に係合することで抜け止めとなり、排水栓３から弁体４が飛び出すことがない。よって、最大の水圧と、水圧が全く負荷していない状態の差が大きくても、弁体４が排水口２から飛び出すようなことがない。
【００１９】
上記の実施例である磁石を用いた遠隔操作式排水栓装置は以下のように作動する。
槽体１の排水口２に弁体４が着座している状態時に、使用者が操作部７を押し操作すると、操作部７に接続されたレリースワイヤ６のインナーワイヤ６２がアウターチューブ６１内で前進し、インナーワイヤ６２の先端に接続されている作動用磁石Ｓ２が連動して水平方向に進行し、作動用磁石Ｓ２が弁体４側直下により近づく。そうすると、弁体４の裏面に備えた弁体側磁石Ｓ１と作動用磁石Ｓ２は同磁極を向いている為、互いに反発しあう。そうすると、当該磁力の反発力により弁体４が押し上げられ、排水口２から弁体４が上昇することとなり、排水口２が開口される。また、インナーワイヤ６２の進行は、保持機構部によって保持されているので、作動用磁石Ｓ２の位置も保持され、作動用磁石Ｓ２が後退して弁体４が下降するようなことはない。また、この状態時では槽体１内の排水が排水口２より下流へと排水され、排水栓３を介して排水管８へ排水される。結果的に槽体１内の排水は排水トラップ等を介して下水へと排水される。
このとき、作動用磁石Ｓ２の磁力が強力であっても、弁体４と排水口２は安全装置５により取り付けられているので、排水口２から弁体４が飛び出すようなことはない。具体的には、弁体４の開口部５３が排水栓３の架設部５４に係合しているので架設部５４に開口部５３が係合し、弁体４が排水口２から飛び出さない。
また、当該槽体１の排水口２から弁体４が上昇時に操作部７を押し操作すると、保持機構部のインナーワイヤ６２の保持が解除され、保持機構部内の戻りスプリングによりインナーワイヤ６２が後退して元の位置に戻る。そうするとインナーワイヤ６２によって前進していた作動用磁石Ｓ２が、戻りスプリングの引き込み力により水平方向に後退する。そうすると、作動用磁石Ｓ２が弁体４の直下から水平方向に弁体４直下から移動し、排水口２の直下位置からずれた箇所である元の位置に戻る。そうすると作動用磁石Ｓ２の磁力による反発力が弁体側磁石Ｓ１に作用しなくなり、反発力を失った弁体４はその自重により下降する。そうすると弁体４は排水口２に着座し、排水口２が閉口され槽体１内に水を貯水することができる。
このように、操作部７を操作することにより、磁石の反発力によって遠隔操作式排水栓装置の排水口２の弁体４を遠隔的に開閉することができるものである。
また、清掃等のため、弁体４を排水口２から取り外す際は、弁体４と軸部４１の樹脂弾性の係合を取り外すだけで簡単に排水口２から弁体４が取り外せる。また、開口部５３に構成した切り欠き部分から架設部５４を通過させるだけで係合が解除されるので、この方法を採用して取り外しても良い。
【実施例３】
【００２０】
本実施例は、図５乃至図６に示される、浴室の浴槽に用いられる磁石を用いた遠隔操作式排水栓装置である。
本実施例の磁石を用いた遠隔操作式排水栓装置は、槽体１と、排水栓３と、ケーシングと、作動用磁石Ｓ２と、弁体４と、弁体側磁石Ｓ１と、排水管８と、操作部７と、レリースワイヤ６と、保持機構部と、安全装置５と、から構成されている。
槽体１は、箱体であって、底部に槽体１内の排水を槽体１外へと排水するための開口を開口している。本実施例では浴室の浴槽が槽体１である。尚、浴槽は洗面ボウル等と比較しても水深が深く弁体４に負荷される水圧は高い。
排水栓３は、槽体１の開口に取り付けられる上端に外側方向に飛び出すフランジを備えた円筒部材であって、その下端には後述する排水管８が接続される。この排水栓３の内周には排水口２が構成され、当該排水口２を排水が通過することで槽体１内の排水を下流へと排水することができる。また、当該排水口２を弁体４が着座して閉口している際には排水は排水口２を通過せず、排水口２から弁体４が上昇した際には排水口２が開口される為排水が排水口２を通過して排水口２より下流へと排水されることとなる。
また、本実施例では、後述する安全装置５としてのケーシングを脱着自在に取り付ける為の取付部３１を備える。
安全装置５としてのケーシングは、前記排水栓３の取付部３１に脱着自在に取付固定される部材であって、排水栓３の中心部に支持されている筒体であって、内部に同じく安全装置５としての軸部４１下端が収納されている。また、軸部４１下端の係合部５２がケーシングの上端に当接することにより、弁体４及び弁軸が排水口２から飛び出すことはない。
作動用磁石Ｓ２は、磁力を有した磁石であり、本実施例では排水口２の下方に配置され、弁体４が上昇時には弁体４直下、弁体４が下降時には弁体４直下より水平方向に移動した箇所に配置される。また、作動用磁石Ｓ２は通水空間である排水管８の外に配置される。後述するレリースワイヤ６のインナーワイヤ６２先端に作動用磁石Ｓ２が接続されており、レリースワイヤ６の進退に併せて作動用磁石Ｓ２は水平方向に移動することができる。また、具体的にはレリースワイヤ６のインナーワイヤ６２が前進した際には作動用磁石Ｓ２は弁体４の直下に配置する箇所にまで移動配置され、レリースワイヤ６のインナーワイヤ６２が後退すると、作動用磁石Ｓ２もインナーワイヤ６２に連動して後退し、元の位置（排水口２の弁体４直下より水平方向に離間した箇所）に戻る。このように、作動用磁石Ｓ２はレリースワイヤ６の進退によって弁体４直下に近づいたり、離間したりするように構成される。
弁体４は、排水口２の開閉を行う栓であって、弁体４から軸部４１が垂下するように構成され、下端に安全装置５としての係合部５２を構成している。また、軸部４１は弁体と着脱自在に取り付けられ、当該取付は樹脂弾性による係合によって取り付けられている。また係合部５２は、図６に示すように弁体４軸部４１下端にフランジ状に外側方向に突出して構成されて、当該軸部４１下端及び係合部５２を前記安全装置５であるケーシング内に収納されて支持されている。弁体４が排水口２に着座時には、弁体４の軸部４１の全体がケーシング内に収納されており、弁体４が排水口２から上昇する際には軸部４１もケーシング内で上方に移動し、それに合わせて弁体４が上昇する。そして、軸部４１下端の係合部５２がケーシング上端に当接する事で、排水口２から弁体４が飛び出すようなことがない。
また、弁体４と軸部４１は、脱着自在に取り付けられている為、ケーシングをわざわざ排水栓３から取り外さなくても弁体４と軸部４１は簡単に脱着できるため、排水栓３内の清掃や、メンテナンスが簡単にできる。また、弁体４と軸部４１の取付方法は、本実施例では軸部４１に備えたＯリングにより弾性係合しているが、例えば係合爪等構成した樹脂弾性による係合でも良い。また、軸部４１上端に雄ねじを構成し、弁体４側に雌ねじを構成してネジ螺合による取付でもかまわない。
弁体側磁石Ｓ１は、弁体４軸部４１の下端、詳細には係合部５２の下端に備えた磁石である。弁体側磁石Ｓ１は、作動用磁石Ｓ２と同磁極となるよう向き合っており、作動用磁石Ｓ２が近づくと弁体側磁石Ｓ１は同磁極のため反発する。当該磁力による反発により弁体４が排水口２から上昇することで排水口２が開口され、また磁石を水平方向に移動させて作動用磁石Ｓ２の磁力を弁体側磁石Ｓ１に及ばないようにした際には排水口２に弁体４が着座することで排水口２が閉口する。当該動作の繰り返しにより排水口２の開口／閉口を行うことができる。
操作部７は、槽体１の上縁部に構成した操作ボタンであって、使用者が当該操作部７を押し操作することで、槽体１の排水口２に設置された弁体４の上昇／下降を遠隔的に操作する為のものである。
レリースワイヤ６は、可撓性を有する管体から成るアウターチューブ６１、アウターチューブ６１内を進退自在に動作する金属線から成るインナーワイヤ６２、から構成される。当該レリースワイヤ６は操作部７から弁体４直下の作動用磁石Ｓ２に接続されている。よって、操作部７を操作するとレリースワイヤ６のインナーワイヤ６２が進退し、当該進退に合わせてインナーワイヤ６２に接続された作動用磁石Ｓ２が弁体４の直下位置から水平方向にずれた箇所から弁体４の直下位置までの間を進退することができ、結果的に水平方向に作動する作動用磁石Ｓ２と弁体側磁石Ｓ１が、同磁極の磁力により反発したりしなくなったりすることで排水口２の弁体４が上下動する。
保持機構部は、本実施例では図示しないが操作部７に構成されており、レリースワイヤ６のインナーワイヤ６２の進退を保持／保持解除する機構である。また、この実施例では、保持機構部にはボールペンの芯の進退を保持するスラストロック機構を採用している。
安全装置５は、前述した排水栓３に着脱自在に取付固定されたケーシングと、弁体４の軸部４１下端に構成した係合部５２により構成されている。この安全装置５が、弁体４が強力な磁力により上昇した際に、弁体４の係合部５２が排水栓３のケーシングに係合することで抜け止めとなり、排水栓３から弁体４が飛び出すことがない。よって、最大の水圧と、水圧が全く負荷していない状態の差が大きくても、弁体４が排水口２から飛び出すようなことがない。
【００２１】
上記の実施例である磁石を用いた遠隔操作式排水栓装置は以下のように作動する。
槽体１の排水口２に弁体４が着座している状態時に、使用者が操作部７を押し操作すると、操作部７に接続されたレリースワイヤ６のインナーワイヤ６２がアウターチューブ６１内で前進し、インナーワイヤ６２の先端に接続されている作動用磁石Ｓ２が連動して水平方向に進行し、作動用磁石Ｓ２が弁体４側直下により近づく。そうすると、弁体４の裏面に備えた弁体側磁石Ｓ１と作動用磁石Ｓ２は同磁極な為、互いに反発しあう。そうすると、当該磁力の反発力により弁体４が押し上げられ、排水口２から弁体４が上昇することとなり、排水口２が開口される。また、インナーワイヤ６２の進行は、保持機構部によって保持されているので、作動用磁石Ｓ２の位置も保持され、弁体４が下降するようなことはない。また、この状態時では槽体１内の排水が排水口２より下流へと排水され、排水栓３を介して排水管８へ排水される。結果的に槽体１内の排水は排水トラップ等を介して下水へと排水される。
このとき、作動用磁石Ｓ２の磁力が強力であっても、弁体４と排水口２は安全装置５により取り付けられているので、排水口２から弁体４が飛び出すようなことはない。具体的には、弁体４の軸部４１の係合部５２が排水栓３のケーシング上端に係合するので、弁体４が排水口２から飛び出さない。
また、当該槽体１の排水口２から弁体４が上昇時に操作部７を押し操作すると、保持機構部のインナーワイヤ６２の保持が解除され、保持機構部内の戻りスプリングによりインナーワイヤ６２が後退行して元の位置に戻る。そうするとインナーワイヤ６２によって前進していた作動用磁石Ｓ２が、戻りスプリングの引き込み力により水平方向に退行する。そうすると、作動用磁石Ｓ２が弁体４の直下から水平方向に弁体４直下から移動し、排水口２の直下位置からずれた箇所である元の位置に戻る。そうすると作動用磁石Ｓ２の反発力が弁体側磁石Ｓ１に作用しなくなり、反発力を失った弁体４はその自重により下降する。そうすると弁体４は排水口２に着座し、槽体１内に水を貯水することができる。
このように、操作部７を操作することにより、磁石の反発力によって遠隔操作式排水栓装置の排水口２の弁体４を遠隔的に開閉することができるものである。
また、清掃等のため、弁体４を排水口２から取り外す際は、弁体４と軸部４１の樹脂弾性の係合を取り外すだけで簡単に排水口２から弁体４が取り外せる。
【００２２】
本発明は前記した実施例のほか、特許請求の範囲を越えない範囲で適宜変更は可能である。
上記実施例では、安全装置５を弁体４の係合脚５１及び排水栓３の係合部５２に係合する構成を採用しているが、例えば図７及び図８に示すように、弁体４に軸部４１を構成し、当該軸部４１下端に外側方向に向かって少なくとも一部が突出して係合部５２を構成し、少なくとも当該係合部５２を排水栓３の下端内周より大きく構成することで、弁体４に強い磁力が作用した際は、弁体４の係合部５２が排水栓３のケーシングに係合しているので架設部５４に開口部５３が係合し、弁体４が排水口２から飛び出さない。
また、上記実施例では、安全装置５を弁体４の軸部４１に構成した係合部５２が排水栓３のケーシングに係合する構成を採用しているが、例えば図９及び図１０に示すように、弁体４にケーシングを一体的に構成し、また、排水栓３の中心部に軸部４１を構成するとともに当該軸部４１の上端に外側方向に突出して構成する係合部５２を構成して、弁体４に強い磁力が作用した際は、排水栓３の軸部４１上端の係合部５２が弁体４のケーシング下端に係合するので架設部５４に開口部５３が係合し、弁体４が排水口２から飛び出さない。
【符号の説明】
【００２３】
１    槽体
２    排水口
３    排水栓
３１  取付部
４    弁体
４１  軸部
Ｓ１  弁体側磁石
Ｓ２  作動用磁石
５    安全装置
５１  係合脚
５２  係合部
５３  開口部
５４  架設部
５５  ケーシング
６    レリースワイヤ
６１  アウターチューブ
６２  インナーワイヤ
７    操作部
８    排水管
【図１】
2015200079.tif 000003
【図２】
2015200079.tif 000004
【図３】
2015200079.tif 000005
【図４】
2015200079.tif 000006
【図５】
2015200079.tif 000007
【図６】
2015200079.tif 000008
【図７】
2015200079.tif 000009
【図８】
2015200079.tif 000010
【図９】
2015200079.tif 000011
【図１０】
2015200079.tif 000012